(57)【要約】【課題】切断された網入りまたは金属線入りガラスの端面より突出し、ガラス板の厚み範囲から外れて屈曲した金属線であっても、折り曲げた時に、端面の板厚範囲からはみ出さないようにする。【解決手段】搬送ロール上で水平姿勢で搬送される網入りまたは金属線入りガラスの端面より突出し、ガラス板の厚み範囲から外れて屈曲した金属線をガラス板の端面部の上下の少なくとも片面に近接させた矯正板の一次矯正手段によってガラス板の厚み幅内に収まるように矯正させ、さらに該矯正板の二次矯正手段によってガラス板の厚み中心方向に揃うように矯正した後、前記突出した金属線を回転自在な押圧ローラの押圧によってガラス板端面に沿って折り曲げた。【選択図】  図１
2004284906.tif 000002
【特許請求の範囲】
【請求項１】
搬送ロール上で水平姿勢で搬送される網入りまたは線入りガラスの端面より突出し、ガラス板の厚み範囲から外れて屈曲した金属線をガラス板の端面部の上下の少なくとも片面に近接させた矯正板の一次矯正手段によってガラス板の厚み幅内に収まるように矯正させ、さらに該矯正板の二次矯正手段によってガラス板の厚み中心方向に揃うように矯正した後、前記突出した金属線を回転自在な押圧ローラの押圧によってガラス板端面に沿って折り曲げることを特徴とする網入りまたは線入りガラスの端面処理方法。
【請求項２】
ガラス板の端面の位置調整手段によって、該端面の最外側位置を検出して、ガラス板の端面の最外側位置から一定の距離となるように前記矯正板を追従させて保持可能とするようにしたことを特徴とする請求項１記載の網入りまたは線入りガラスの端面処理方法。
【請求項３】
前記押圧ローラによってガラス板の端面を押圧時に、ガラス板の端面角度の変化に追従し押圧ローラの当接角度を傾動自在とさせることによって、端面から突出した金属線を折り曲げた時に端面に密着できるようにしたことを特徴とする請求項１または２に記載の網入りまたは線入りのガラスの端面処理方法。
【請求項４】
搬送ロール上で水平姿勢で搬送される網入りまたは金属線入りガラスの端面部の上下の少なくとも片面に近接し、ガラス板の端面の厚み幅内に収めるように矯正させる一次矯正手段とガラス板の厚み中心方向に揃うように矯正する二次矯正手段からなる矯正板と、矯正板をガラス板の端面から一定距離に保つために該ガラス板の端面の最外側位置を検出する位置調整手段と、矯正された金属線を折り曲げる押圧ローラとからなることを特徴とする網入りまたは線入りガラスの端面処理装置。
【請求項５】
一次矯正手段として、矯正板の平面外形形状が、ガラス板の端面と斜めに交差する斜め直線部を有し、二次矯正手段として、矯正板とガラス板の端面から突出する金属線との当接面を搬送によってガラス板の端面の中心線に近づくような傾斜面としたことを特徴とする請求項４記載の網入りまたは線入りガラスの端面処理装置。
【請求項６】
前記折曲げローラをガラス板の端面に押圧してはみ出た金属線を折り曲げする場合に、ガラス板の端面角度の変化に追従して押圧ローラを傾動自在とする押圧ローラ傾動手段を押圧ローラの取付ハンドに設けたことを特徴とする請求項４または５記載の網入りまたは線入りガラスの端面処理装置。
【請求項７】
前記取付けハンドを金属等の剛性フレームで構成される平行リンクの一辺に固着し、対向辺の軸を旋回用支柱に軸着すると共にロータリーアクチュエーターの軸部に固定して、平行リンクの旋回によっても取付ハンドが常に一定角度になるようにしたことを特徴とする請求項４乃至６のいずれかに記載の網入りまたは線入りガラスの端面処理装置。
【発明の詳細な説明】
【０００１】
【発明の属する技術分野】
本発明は、網入りまたは線入りガラスを切断した後に端面よりはみ出した網線または金属線の折り曲げ処理に関するものである。
【０００２】
【従来の技術】
従来から、切断後の網入りまたは線入りガラス板を所定サイズで積層して保管する場合には、該ガラス板の端面よりはみ出た金属線によってガラス板同士が傷ついたり、露出した金属線部からの腐食によりガラス板が割れるという問題点があった。
【０００３】
これらの対策として、網入りガラスまたは線入りガラスを切断後は、これらのガラス板の端面より突出した金属製の網や線の先端を折り曲げる等の端面処理を施すことによって、ガラス板のハンドリング時に突出した金属線により作業者がケガをすることなく安全に取扱いができるようになり、また、露出した金属線部からの腐食によるガラス割れ対策として、はみ出し線を一旦折り曲げ処理し、なめらかにした後にガラス板の端面およびはみ出し線を覆うように樹脂や防錆剤等の端面塗布処理を行っていた。
【０００４】
例えば、本出願人は、金属線入りガラスの端面へ防錆処理を施すために、突出する金属線材と当接し、この金属線材を一定方向に屈曲させる押圧転動手段をコンベア両側に配した網線の曲げ込み装置の考案を出願した（特許文献１）。
【０００５】
また、同じく本出願人は、端面押圧ローラによりガラス板の端面から突出した金属線を折り曲げる前に、凹状又はＶ状の溝部内に金属線を誘導させ金属線をガラス板端面の板厚幅内、好ましくは板厚中心側に寄せるようにした線入りガラスの端面処理方法および装置の発明を出願している（特許文献２）。
【０００６】
【特許文献１】
実願昭６３−８８９０号（実開平１−１１４６４３号）マイクロフイルム
【特許文献２】
特開２０００−１６９１９０公報
【０００７】
【発明が解決しようとする課題】
前記特許文献１や特許文献２に記載の方法では、所定のサイズに切断された網線入りまたは金属線入りガラス板の端面に発生した網線のはみ出し部の内、はみ出た長さがガラス板の板厚範囲の範囲内で曲がっている場合は問題ないが、はみ出した金属線がガラス板の板厚範囲の範囲外まで及んで曲がっている場合は厚み範囲内に矯正されないままローラーで曲げられてしまい、末端の梱包工程でこれらのガラス板を吸着ハンドにて吸着し、パレット等の保管箱への積み込み時に、板厚からはみ出た網線や金属線で既に積み込み済のガラス板の表面に引っ掻きキズを発生させたりする場合があった。
【０００８】
さらには、このような網線入りまたは金属線入りガラス板を次工程で研磨しようとする場合には、前記のはみ出した網線や金属線によっては次工程の研磨工程の際に研磨バフ等が早く摩耗してしまう等の問題もあった。
【０００９】
図６に示すようなガラス板の端面から突出した金属線は、従来の端面処理装置を使用した場合であっても、ガラス板の厚み範囲内に折り曲げが可能な網線や金属線の露出パターンであり、図７に示すようなガラス板の端面から突出した金属線は、従来の端面処理装置では対処が困難な網線や金属線の露出パターンである。
【００１０】
網入りガラスには、図６、および図７の両パターンが混在するため、この両方の場合に適用できる装置が必要であった。
【００１１】
【課題を解決するための手段】
本発明は、このような問題点を解決すべくなされたものであり、切断された網入りまたは金属線入りガラスの端面より突出し、ガラス板の厚み範囲から外れて屈曲した金属線であっても、折り曲げた時に、端面の板厚範囲からはみ出さないような折り曲げが可能な端面処理方法および装置の提供を目的とするものである。
【００１２】
すなわち、本発明は、搬送ロール上で水平姿勢で搬送される網入りまたは金属線入りガラスの端面より突出し、ガラス板の厚み範囲から外れて屈曲した金属線をガラス板の端面部の上下の少なくとも片面に近接させた矯正板の一次矯正手段によってガラス板の厚み幅内に収まるように矯正させ、さらに該矯正板の二次矯正手段によってガラス板の厚み中心方向に揃うように矯正した後、前記突出した金属線を回転自在な押圧ローラの押圧によってガラス板端面に沿って折り曲げることを特徴とする網入りまたは金属線入りガラスの端面処理方法である。
【００１３】
あるいは、本発明は、ガラス板の端面の位置調整手段によって、該端面の最外側位置を検出し、ガラス板の端面の最外側位置から一定の距離となるように前記矯正板を追従させて保持可能とするようにしたことを特徴とする上述の網入りまたは金属線入りガラスの端面処理方法である。
【００１４】
あるいはまた、本発明は、前記押圧ローラによってガラス板の端面を押圧時に、ガラス板の端面角度の変化に追従し押圧ローラの当接角度を傾動自在とさせることによって、端面から突出した金属線を折り曲げた時に端面に密着できるようにしたことを特徴とする上述のいずれかに記載の網入りまたは金属線入りのガラスの端面処理方法である。
【００１５】
あるいはまた、本発明は、搬送ロール上で水平姿勢で搬送される網入りまたは金属線入りガラスの端面部の上下の少なくとも片面に近接し、ガラス板の端面の厚み幅内に収めるように矯正させる一次矯正手段とガラス板の厚み中心方向に揃うように矯正する二次矯正手段からなる矯正板と、矯正板をガラス板の端面から一定距離に保つために該ガラス板の端面の最外側位置を検出する位置調整手段と、矯正された金属線を折り曲げる押圧ローラとからなることを特徴とする網入りまたは線入りガラスの端面処理装置である。
【００１６】
あるいはまた、本発明は、一次矯正手段として、矯正板の平面外形形状が、ガラス板の端面と斜めに交差する斜め直線部を有し、二次矯正手段として、矯正板とガラス板の端面から突出する金属線との当接面を搬送によってガラス板の端面の中心線に近づくような傾斜面としたことを特徴とする上述の網入りまたは線入りガラスの端面処理装置である。
【００１７】
あるいはまた、本発明は、前記折曲げローラをガラス板の端面に押圧してはみ出た金属線を折り曲げする場合に、ガラス板の端面角度の変化に追従して押圧ローラを傾動自在とする押圧ローラ傾動手段を押圧ローラの取付ハンドに設けたことを特徴とする上述の網入りまたは線入りガラスの端面処理装置である。
【００１８】
あるいはまた、本発明は、前記取付けハンドを金属等の剛性フレームで構成される平行リンクの一辺に固着し、対向辺の軸を旋回用支柱に軸着すると共にロータリーアクチュエーターの軸部に固定して、平行リンクの旋回によっても取付ハンドが常に一定角度になるようにしたことを特徴とする上述のいずれかに記載の網入りまたは線入りガラスの端面処理装置である。
【００１９】
【発明の実施の形態】
以下本発明を図に基づいて説明する。
【００２０】
図１に示すように、図示しない架台又は床面に支柱１１を立設固着し、該支柱１１の上端部近傍にはロータリーアクチュエーター１２を配設し、該ロータリーアクチュエータ１２の駆動部に旋回アーム１３ａを固着した。
【００２１】
網入りまたは線入りガラス板１の搬送方向に平行で前記支柱１１に固定された固定アーム１３ｂと前記旋回アーム１３ａとを隣接する２辺として、平行リンク１３を構成すると、該平行リンク１３の一辺である前記旋回アーム１３ａの先端側の連結軸部１７に取付部材１６を介して端面処理ハンド１５を固設した。
【００２２】
前記ロータリーアクチュエータ１２を作動させると、旋回アーム１３ａが水平方向に旋回自在となり、固定アーム１３ｂを網入りまたは線入りガラス板１の搬送方向に平行に固定辺とした平行リンク１３の機構によって、前記端面処理ハンド１５の取付部材１６は旋回アーム１３ａの旋回角度の如何にかかわらず網入りまたは線入りガラス板１の搬送方向に平行姿勢を保っている。
【００２３】
また、前記旋回アーム１３ａと支柱１１間には、ドアチェックと同様な機構のショックアブソーバ１４を設け、旋回アーム１３ａの旋回が急激な動作となって網入りまたは線入りガラス板１を破損したり、網入りまたは線入りガラス板１のコーナー等によって端面処理ハンド１５を破損しないようにした。
【００２４】
前記端面処理ハンド１５の取付部材１６は、板状で網入りまたは線入りガラス板１の搬送方向に平行となるように配設するが、取付部材１６の網入りまたは線入りガラス板１に面する側に、網入りまたは線入りガラス板１の上流側から保護ローラ３、矯正板２０、位置調整ローラ４１、および押圧ローラ３０が順次配設されている。
【００２５】
図１に示す、保護ローラ３は、搬送される網入りまたは線入りガラス板１のコーナーや端面に矯正板２０、位置調整ローラ４１、および押圧ローラ３０が直接当らないように保護するものである。
【００２６】
すなわち、保護ローラ３がないと、網入りまたは線入りガラス板の端面側に押し続けられていた前記矯正板２０、位置調整ローラ４１、押圧ローラ３０は急激に網入りまたは線入りガラス板１のコーナー部や、切断不良による突起したガラスエッジが来たとき、直接接触して、網入りまたは線入りガラス板１を破損したり、あるいは前記矯正板２０、位置調整ローラ４１、押圧ローラ３０が網入りまたは線入りガラス板のコーナー部１で損傷したりする。
【００２７】
そこで、該保護ローラ３の先端を網入りまたは線入りガラス板１の端面エッジから２０ｍｍ程度離した位置となるように調整して取り付け、搬送される網入りまたは線入りガラス板１が途切れて無くなっている状態になると、端面処理ハンド１５全体がロータリーアクチュエーター１２によって退避する方向に旋回して網入りまたは線入りガラス板１から離れるようにしたものである。
【００２８】
矯正板２０は、搬送される網入りまたは金属線入りガラス１の端面部の上下の少なくとも片面、または両面に近接し、網入りまたは線入りガラス板１の端面より突出し、端面の厚み範囲から外れるように折れ曲がった網線又は金属線２に当接して端面の厚み範囲内に収めるようにする一次矯正手段２１と、網入りまたは線入りガラス板１の厚み中心方向に揃うように矯正する二次矯正手段２２とからなる。
【００２９】
前記一次矯正手段２１と二次矯正手段２２の両手段は、別々に設ける手段として説明したが、連結一体化することもできる。
【００３０】
前記一次矯正手段２１は、図２に示すように、ほぼフラットな板状の一次矯正板２１ａからなり、矯正対象の金属線２の当接する該一次矯正板２１ａの一辺と、網入りまたは線入りガラス板の端辺とのなす角度が鈍角となるように一次矯正板２１ａを配設した。
【００３１】
このとき、一次矯正板２１ａと金属線２の当接辺の向きは、図１、図２に示すように、網入りまたは線入りガラス板１の下流方向に向けて網入りまたは線入りガラス板１の端辺から遠ざかるような斜め線状に設ける。
【００３２】
また、一次矯正板２１ａの網入りまたは線入りガラス板１の端辺から外側の幅方向に配設された最大幅は、網入りまたは線入りガラス板１の端面から突出している金属線２の長さよりも長めとした。
【００３３】
これは、突出した金属線２の当接部が、一次矯正板２１ａの斜辺の網入りまたは線入りガラス板１の端面寄り側から外側に徐々に向かっていくことになるので、金属線はガラス板の端面幅内に矯正される。
【００３４】
一次矯正板２１ａは、網線または金属線の一次矯正手段２１で、網入りまたは線入りガラス板１の板厚範囲を超えてはみ出た網線または金属線２をすくい上げ、網入りまたは線入りガラス板厚範囲内に曲げ方向角度を矯正するためのもので、網入りまたは線入りガラス板１の下面から約１ｍｍ、好ましくは０．１〜０．５ｍｍ程度離すようにセットするのが良い。
【００３５】
前記二次矯正手段２２は、図２に示すように、一次矯正板２１ａと同様にガラス１の端面部の上下の少なくとも片面、または両面に近接して設けるが、一次矯正板２１ａよりも搬送される網入りまたは線入りガラス板１の下流側位置で一次矯正板２１ａに当接した位置に二次矯正板２２ａとして傾斜面を有する楔状部材を設ける、または板状部材を傾斜させて設けるようにした。
【００３６】
すなわち、二次矯正板２２ａは突出した金属線２との当接開始側は一次矯正板２１ａの金属線２との当接面と一致する位置、すなわち網入りまたは線入りガラス板１のほぼ板面近傍であり、網入りまたは線入りガラス板１の搬送につれて、徐々に金属線２が網入りまたは線入りガラス板１の板厚の中心に近づくような傾斜面を有したものである。
【００３７】
このため、突出した金属線２のニ次矯正板２２ａの傾斜面との当接部が、網入りまたは線入りガラス板１の面側から徐々に板厚の中心に向かっていくことになるので、金属線２は網入りまたは線入りガラス板１の板厚の中心に向けて矯正される。
【００３８】
図２、図３に示すように、位置調整手段４０は、前記矯正板２０と網入りまたは線入りガラス板１の端面間の距離を一定とさせるものであり、前記端面処理ハンド１５の取付部材１６の網入りまたは線入りガラス板１に面する側の軸受４２（図１参照）を介して位置調整ローラ４１が取り付け固定されている。
【００３９】
位置調整ローラ４１は、軸受４２によって自由に回転可能であるが、搬送される網入りまたは線入りガラス板面に垂直方向に軸４３を配設して、網入りまたは線入りガラス板１の端面角度の変動には追従させない構造とした。
【００４０】
これは、位置調整ロ−ラ４１は、矯正板２０と網入りまたは線入りガラス板１の端面間の距離を一定に保つために設けたものであるが、その取付位置として、矯正板２０と押圧ローラ３０間に設けるようにした。
【００４１】
つまり、矯正板２０によって矯正される前の網線または金属線２が突出した端面に、位置調整ローラ４１を当接させると、位置調整ローラ４１の押圧力によって網線または金属線２が位置を矯正されないままの不本意な状態で、端面に折曲げられたりするからである。
【００４２】
また、位置調整ローラ４１を、網入りまたは線入りガラス板１の端面角度の変化に追従できるようにしてしまうと、矯正板２０と網入りまたは線入りガラス板１の端面間の距離が、網入りまたは線入りガラス板１の端面先端部ではなく、端面の板厚中心に合わせられることになり、矯正板２０が網入りまたは線入りガラス板のエッジ先端に当ったりするので、好ましくない。
【００４３】
このように、位置調整ローラ４１は、搬送される網入りまたは線入りガラス板１に対して、前記矯正板２０の下流側に設けることによって、矯正前の網線や金属線２を予期しない方向に曲げてしまうことがなく、矯正板２０と網入りまたは線入りガラス板１の端辺間の位置を調整することができ、同時に、矯正板２０によって所望の角度範囲内に矯正された後の網線や金属線２を網入り又は線入りガラス板１の端面の板厚範囲内に折り曲げる機能も有している。
【００４４】
続いて、押圧ローラ３０については、図５に示すように、軸３５により自由回転するローラ３０を軸受３１を介して取付ブラケット３２に取付け、取付ブラケット３２の背側に上下位置に固設したロッド３３、３３にそれぞれバネ３４、３４を介して端面処理ハンド１５の取付部材１６の穿孔部に遊挿し、ロッド３３、３３の先端にナット等を螺着してロッド３３、３３が取付部材１６から抜けないようにするとともに、上下方向に傾動自在に取り付けた。
【００４５】
取付部材１６と取付ブラケット間には前記したようにバネ３４を設けるようにしたので、押圧ローラ３０は上下方向に傾動自在である。
【００４６】
このため、網入りまたは線入りガラス板１の端面が、図４、図５のように直角に切断された状態でなく、斜めに切断された状態の場合であっても、押圧ローラ３０を網入りまたは線入りガラス板１の端面に押圧すれば、バネの伸縮により押圧ローラ３０が網入りまたは線入りガラス板１の端面の変化に追従して傾動するので、端面から突出した網線又は金属線も傾斜した網入りまたは線入りガラス板１の端面に沿って密着するように折り曲げることができる。
【００４７】
なお、矯正板２０、位置調整ローラ４１、押圧ローラ３０は、取付部材１６を介して、旋回アーム１３ａを一辺とする平行リンク１３に取り付けられているので、旋回アーム１３ａの旋回角度と関係なく、網入りまたは線入りガラス板１の端辺に対し平行である。
【００４８】
前記位置調整手段４０は、位置調整ローラ４１にて機械的にガラス板の端面に接触させて行うようにしたが、図示しない光電センサー等によってガラス板１の端面位置を測定し、端面処理ハンド１５および矯正板２０を図示しない駆動装置によって所望位置に移動させるようにしても良い。
【００４９】
次いで、本発明の一連の動作を説明する。
【００５０】
図２に示すように、矢印で示される方向に切断された網入りまたは線入りガラス１が水平姿勢で搬送されている。該網入りまたは線入りガラス１は図示しない前工程である切断折割処理によって搬送ラインの幅方向両端側の耳部と呼ばれる品質規格外となる部分を切断され分離される、あるいは所望の寸法に切断した状態で分離搬送される。
【００５１】
上記いずれの場合においても、網入りまたは線入りガラス１の切断分離時に該端面より網線又は金属線２が突出し、その先端部が折割処理時に尖って折れ曲がった状態となり、折れ曲がる方向は、折割装置によって上方、または下方のいずれかである傾向が一般的にある。
【００５２】
今、網入りまたは線入りガラス板１の網線又は金属線２の先端部が網入りまたは線入りガラス板１の板厚範囲を外れて、網入りまたは線入りガラス板の下面ラインよりも下まで折れ曲がった状態で、前記切断された網入りまたは線入りガラス板が図示しない搬送ラインによって搬送されると、図示しないセンサーによってガラス板の搬入が検出されると、ガラス板１の端辺から待機して離れた位置にある位置調整ローラ４１、矯正板２０等をガラス板１の端面に当接するように移動接近させる。
【００５３】
続いて、搬送ラインの幅方向に面した網入りまたは線入りガラス板の両端辺に位置調整ローラ４１を当接させることによって、網入りまたは線入りガラス板１の端辺から端面処理装置１０の端面処理ハンド１５の位置が一定距離となるように調整されることになる。
【００５４】
該位置調整ローラ４１を網入りまたは線入りガラス板１の端面に押し当てる位置とタイミングは、搬送される網入りまたは線入りガラス板１の矯正板２０の位置より下流近傍位置で、該矯正板２０によって網線又は金属線２が矯正された後に、当接するようにする。
【００５５】
前記位置調整手段４０の位置調整ローラ４１によって、矯正板２０と網入りまたは線入りガラス板１の最先端部との間隔を常に一定となるようにすることができる。
【００５６】
網入りまたは線入りガラス板１が搬送されるにしたがって、網入りまたは線入りガラス板１の端面近傍に設けた矯正板２０の一次矯正板２１ａを端面から突出する金属線２に当接させると、一次矯正板２１ａの矯正対象の金属線２の当接する該一次矯正板２１ａの一辺と、網入りまたは線入りガラス板１の端辺とのなす角度が鈍角となるように一次矯正板２１ａを配設していることによって、網入りまたは線入りガラス板１の板厚範囲から外れた該金属線２をすくい上げるようにして、網入りまたは線入りガラス板１の板厚範囲内まで起立させる。
【００５７】
続いて、前記起立した金属線２が二次矯正板２２ａに当接すると、該金属線２は二次矯正板の傾斜面に沿って網入りまたは線入りガラス板１の端面の板厚中心部付近まで徐々に起立して近づけられる。
【００５８】
さらに続いて、図３に示すように、網入りまたは線入りガラス板１の端面に位置調整ローラ４１が傾斜した端面に当接し、網入りまたは線入りガラス板１の端面と前記矯正板２０との間隔を一定にさせるが、位置調整ローラ４１は、傾動自在な構造ではなく網入りまたは線入りガラス板１面に直角方向に軸を設けているので、前記矯正板２０を網入りまたは線入りガラス板１の端面の最も飛び出た先端部に当接させることになる。
【００５９】
このように、網入りまたは線入りガラス板の端面が、網入りまたは線入りガラス板面と直角でない場合には、位置調整ローラーによって金属線を端面に密着させることはできず、端面から若干浮き上がった状態に曲げられた状態となる。
【００６０】
図３は、網入りまたは線入りガラス板の端面が直角でない場合に、網入りまたは線入りガラス板１の端面に当接している位置調整ローラ４１と、矯正板２０との位置関係を示している。
【００６１】
位置調整ローラ４１によって、ある程度まで曲げられた網線または金属線２は、図４、図５に示すように、続いてあらわれる網入りまたは線入りガラス板１の傾斜した端面形状に追従自在な押圧ローラ３０によって、網入りまたは線入りガラス板の端面に密着するように折り曲げられる。
【００６２】
図４は、網入りまたは線入りガラス板の傾斜した端面に、二点鎖線で示した押圧ローラ３０を当接後、図５に示すような押圧ローラ３０の傾動手段によって、網入りまたは線入りガラス板１の端面角度に実線で示すように押圧ローラ３０を追従傾動させ、押圧ローラ３０を網入りまたは線入りガラス板１の端面に押し付けて、網線または金属線２を端面に密着するように折り曲げた。
【００６３】
図２によれば、網入りまたは線入りガラス板１の端面より突出した網線または金属線２が、矯正板２０、位置調整ローラ４１、押圧ローラ３０によって順次矯正されて折り曲げられていく状況がわかる。
【００６４】
すなわち、網入りガラス１の折割時に網入りまたは線入りガラス板１の端面から突出し、はみ出した金属線２が網入りまたは線入りガラス板１の板厚範囲から外れて下方に曲がっているものを、まず網入りまたは線入りガラス板下面より０．１〜０．５ｍｍ離れた位置に配置した平板プレート状の一次矯正板２１ａで、網入りまたは線入りガラス板１の板厚範囲内に矯正し、つぎに網入りまたは線入りガラス板１の下面から板厚の中心に向けて傾斜面を有する二次矯正板２２ａに前記網線または金属線２を当接させて、該金属線２を網入りまたは線入りガラス板１の板厚中心方向に強制的に誘導する。
【００６５】
矯正された網線または金属線２を位置調整ローラ４１と押圧ローラ３０で押圧して端面に沿って折り曲げることで、端面からはみ出した網入りまたは金属線２がガラス板１の厚み範囲からはみ出すことがなくなった。
【００６６】
【発明の効果】
以上詳細に述べたように、本発明の網入りまたは金属線入りガラスの端面処理方法および装置を用いれば、該ガラス板の切断後の端面より突出した金属線が該ガラス板の厚みから外れるように曲がっていても、本発明によって板厚範囲内に収まるように矯正して曲げられるため、ガラス板を積み込む時に他のガラス板と接触し金属線によりガラス面に傷を発生させることもなく、また、ガラス端面より突出した金属線を端面に密着するように折り曲げ可能なので、樹脂や防錆材等の保護材を確実に容易に被覆できるので、金属線を確実に外気と遮断でき、腐食することがなくなり、金属線の腐食によるガラス板の割れもない。
【００６７】
また、このようにガラス板の端面を処理したことによって、該ガラス板をハンドリングする時に作業者がケガをすることなく安全に取扱いができるようになった。
【図面の簡単な説明】
【図１】本発明の端面処理装置の全体斜視図。
【図２】本発明の端面処理装置の部分斜視図
【図３】位置調整手段の位置調整ローラおよび矯正板とガラス板の端面との当接状態を示す縦断面図。
【図４】押圧ローラとガラス端面との当接状態を示す図。
【図５】傾動自在な押圧ローラのガラス端面への追従を示す説明図
【図６】ガラス板の端面から突出した金属線の先端が板厚範囲内に収まっている網入りまたは線入りガラスの端面部の断面図。
【図７】ガラス板の端面から突出した金属線の先端が板厚範囲から外れている網入りまたは線入りガラスの端面部の断面図。
【符号の説明】
１      網入りまたは線入りガラス板
２      網線または金属線
３      保護ローラ
１０      端面処理装置
１１      支柱
１２      ロータリーアクチュエータ
１３      平行リンク
１３ａ    旋回アーム
１４      ショックアブソーバー
１５      端面処理ハンド
１６      取付部材
２０      矯正板
２１      一次矯正手段
２１ａ    一次矯正板
２２      二次矯正手段
２２ａ    二次矯正板（傾斜板）
３０      押圧ローラ
３１      軸受
３２      取付ブラケット
３３      ロッド
３４      バネ
３５      軸
４０      位置調整手段
４１      位置調整ローラ
４２      軸受
４３      軸
【図１】
2004284906.tif 000003
【図２】
2004284906.tif 000004
【図３】
2004284906.tif 000005
【図４】
2004284906.tif 000006
【図５】
2004284906.tif 000007
【図６】
2004284906.tif 000008
【図７】
2004284906.tif 000009